(57)【要約】【課題】除湿手段に頼ることなく高い効率をもって洗濯物を乾燥させることができるとともに、組立作業を合理化できる洗濯乾燥機を提供する。【解決手段】洗濯乾燥機１は、外箱１０と、外箱１０に収容される水槽２０と、水槽２０に収容される脱水槽３０と、脱水槽３０に吹き込みダクト５１を通じて空気を吹き込む送風機５０と、送風機５０が吹き出す空気を加熱するヒータ５３を備える。送風機５０への空気の供給と、脱水槽内３０の空気の機外への排出は１個のダクトユニット６０を介して行われる。ダクトユニット６０は、外箱１０と水槽２０の間の空間と送風機５０の空気流入部を連通させる吸気ダクト６１と、脱水槽３０内の空間と機外を連通させる排気ダクト６２を備える。吸気ダクト６１と排気ダクト６２の間には、熱交換部６７が形成されている。【選択図】図１
2012040085.tif 000002
【特許請求の範囲】
【請求項１】
外箱と、前記外箱に収容される水槽と、前記水槽に収容され、底部にパルセータが設けられた脱水槽と、前記脱水槽に空気を吹き込む送風機と、前記送風機が吹き出す空気を加熱するヒータとを備え、前記送風機への空気の供給と、前記脱水槽内の空気の機外への排出は１個のダクトユニットを介して行われるものであり、前記ダクトユニットは、前記外箱と前記水槽の間の空間と前記送風機の空気流入部を連通させる吸気ダクトと、前記脱水槽内の空間と機外を連通させる排気ダクトを備え、前記吸気ダクトと前記排気ダクトの間には熱交換部が形成されていることを特徴とする洗濯乾燥機。
【請求項２】
前記ダクトユニットは前記水槽の上方に水平方向に延びる形で配置され、水平方向の両端に前記吸気ダクトの入口部と出口部を有するとともに、前記排気ダクトの入口部は前記吸気ダクトの出口部寄りの位置に配置され、前記排気ダクトの出口部は前記吸気ダクトの入口部寄りの位置に配置されることを特徴とする請求項１に記載の洗濯乾燥機。
【請求項３】
前記脱水槽は周壁に脱水のための孔を備えないタイプのものであることを特徴とする請求項１または２に記載の洗濯乾燥機。
【発明の詳細な説明】
【技術分野】
【０００１】
本発明は洗濯乾燥機に関する。
【背景技術】
【０００２】
洗濯機が衣類乾燥機の役割も果たす洗濯乾燥機が近年人気を集めている。洗濯乾燥機には、ドラム式洗濯機に乾燥機能を備えさせたものや、パルセータにより起こした水流で洗濯を行う従来型の洗濯機に乾燥機能を備えさせたものがある。後者の洗濯乾燥機の例を特許文献１、２に見ることができる。
【０００３】
特許文献１に記載された洗濯乾燥機は、洗濯兼脱水槽を高速回転させながら送風ファンと温風加熱手段に通電する第１の乾燥運転を実施した後、洗濯兼脱水槽の回転速度を第１の乾燥運転のときよりも低くし、温風加熱手段の能力をアップし、除湿手段を作動させる第２の乾燥運転を実施する。洗濯乾燥機の内部で温風を循環させつつ除湿手段を作動させることにより、衣類は乾燥する。
【０００４】
特許文献２に記載された洗濯乾燥機は、投入された衣類の洗濯、脱水、及び乾燥を行う槽と、この槽を回転駆動する槽駆動手段と、衣類に熱風を供給する熱風供給手段と、赤外線を検知する温度検出手段と、制御手段を備え、温度検出手段は、熱風供給手段によって熱風を供給された衣類の素材及び乾燥の進行に応じて振幅の異なる検知信号を出力し、制御手段は温度検出手段の出力の振幅に基づいて衣類の素材及び乾燥状況を判定し、この判定に基づいて槽駆動手段を制御する。ここでも衣類の乾燥は、洗濯乾燥機の内部で温風を循環させつつ除湿手段を作動させることにより行われる。
【０００５】
衣類乾燥機において、機外から吸い込む空気と機外へ排出する空気の間で熱交換を行うことも常用技術である。特許文献３には、両側縁に沿って互いに反対方向にフィンを屈曲形成した熱交換板を、吸気通路と排気通路間に形成した開口に複数枚並べて装着した衣類乾燥機が記載されている。
【０００６】
特許文献４に記載された衣類乾燥機は、回転ドラム背面に配置された除湿熱交換器兼用の両翼送風ファンでドラム側通路と機外側通路を通過する空気の熱交換を行う。
【０００７】
特許文献５に記載された衣類乾燥機は、衣類を収容する乾燥庫と乾燥庫内の空気を除湿する除湿手段との間を吸気管と吐出管によって接続し、吸気管から循環送風手段によって吸気した乾燥庫内の空気を、熱交換器によって外部空気と熱交換して低湿とし、加熱手段によって温風に加熱した空気を吐出管から乾燥庫の下部に吐出する循環を行うようにしている。
【先行技術文献】
【特許文献】
【０００８】
【特許文献１】特開２０１０−１１９２４号公報
【特許文献２】特開２０１０−４２１１８号公報
【特許文献３】実開昭５８−２９０９５号公報
【特許文献４】実開昭６２−１８４８９８号公報
【特許文献５】実開２０００−２２５２９９号公報
【発明の概要】
【発明が解決しようとする課題】
【０００９】
洗濯乾燥機に除湿手段を設けると、構造が複雑化しコスト高になる上、特許文献１、２に記載のもののように、除湿冷却水に空気を接触させて空気を露点温度以下に冷却し、空気中の水分を結露させるという除湿原理を用いるものでは、除湿冷却水のコストも無視できない。
【００１０】
本発明は上記の点に鑑みなされたものであり、除湿手段に頼ることなく高い効率をもって洗濯物を乾燥させることができるとともに、組立作業を合理化できる洗濯乾燥機を提供することを目的とする。
【課題を解決するための手段】
【００１１】
本発明の好ましい実施形態によれば、洗濯乾燥機は、外箱と、前記外箱に収容される水槽と、前記水槽に収容され、底部にパルセータが設けられた脱水槽と、前記脱水槽に空気を吹き込む送風機と、前記送風機が吹き出す空気を加熱するヒータとを備え、前記送風機への空気の供給と、前記脱水槽内の空気の機外への排出は１個のダクトユニットを介して行われるものであり、前記ダクトユニットは、前記外箱と前記水槽の間の空間と前記送風機の空気流入部を連通させる吸気ダクトと、前記脱水槽内の空間と機外を連通させる排気ダクトを備え、前記吸気ダクトと前記排気ダクトの間には熱交換部が形成されている。
【００１２】
本発明の好ましい実施形態によれば、上記構成の洗濯乾燥機において、前記ダクトユニットは前記水槽の上方に水平方向に延びる形で配置され、水平方向の両端に前記吸気ダクトの入口部と出口部を有するとともに、前記排気ダクトの入口部は前記吸気ダクトの出口部寄りの位置に配置され、前記排気ダクトの出口部は前記吸気ダクトの入口部寄りの位置に配置される。
【００１３】
本発明の好ましい実施形態によれば、上記構成の洗濯乾燥機において、前記脱水槽は周壁に脱水のための孔を備えないタイプのものである。
【発明の効果】
【００１４】
本発明によると、洗濯物から水分を奪った空気を外部に排気することにより洗濯物を乾燥させるから、特に除湿手段を設ける必要がない。送風機への空気の供給と、脱水槽内の空気の機外への排出は１個のダクトユニットにより行われるから、外部で組み立て済みのダクトユニットを外箱に組み付けるという作業手順を採用することにより、洗濯乾燥機の組立工程を合理化することができる。ダクトユニットにおいては、外箱と水槽の間の空間と送風機の空気流入部を連通させる吸気ダクトと、脱水槽内の空間と機外を連通させる排気ダクトの間に熱交換部が形成されているから、脱水槽から排出される空気の熱を回収して再利用することができ、効率良く洗濯物を乾燥できる。
【図面の簡単な説明】
【００１５】
【図１】本発明の実施形態に係る洗濯乾燥機の概略構造を示す断面図である。
【図２】前記洗濯乾燥機のブロック構成図である。
【発明を実施するための形態】
【００１６】
図１に示す洗濯乾燥機１は、直方体形状の外箱１０を有する。外箱１０の内部には、洗剤を溶かした水またはすすぎ用の水（以下これらを総称して「洗濯水」という）を溜める、洗濯槽を兼ねる脱水槽３０と、脱水槽３０を収容する水槽２０が収容される。水槽２０も脱水槽３０も上面が開口した円筒形のカップの形状を呈しており、各々軸線を垂直にし、水槽２０を外側、脱水槽３０を内側とする形で同心的に配置される。
【００１７】
水槽２０は図示しないサスペンション部材によって吊り下げられる。サスペンション部材は水槽２０の外面下部と外箱１０の内面コーナー部とを連結する形で計４箇所に配備され、水槽２０を水平面内で揺動できるように支持する。
【００１８】
外箱１０の内部には、水槽２０と脱水槽３０にとり天井の役割を果たす水平仕切板１１が設けられており、この水平仕切板１１と水槽２０の上端を弾性体からなるベローズ２１が連結する。これにより、水平仕切板１１と水槽２０の上端との隙間を通って空気が出入りすることはなくなる。
【００１９】
外箱１０の天面部と水平仕切板１１には、脱水槽３０に洗濯物を投入したり、脱水槽３０から洗濯物を取り出したりするための洗濯物投入口（図示せず）が形成される。洗濯物投入口には一端を支点として開閉する蓋（図示せず）が設けられる。
【００２０】
脱水槽３０は上方にテーパ状に広がる周壁を有する。この周壁には、その最上部に環状に配置した複数個の脱水孔を除き、液体を通すための開口部はない。すなわち脱水槽３０はいわゆる「孔なし」タイプである。脱水槽３０の上部開口部の縁には、洗濯物の脱水のため脱水槽３０を高速回転させたときに振動を抑制する働きをする環状のバランサ３１が装着される。脱水槽３０の内部底面には槽内で洗濯水の流動を生じさせるためのパルセータ３２が配置される。
【００２１】
水槽２０の下面には駆動ユニット４０が取り付けられる。駆動ユニット４０は、モータ４１、モータ４１にベルトで連結されたクラッチ４３、減速機４２及びブレーキ（図示せず）を含み、減速機４２から脱水軸４４とパルセータ軸４５を上向きに突出させている。クラッチ４３はブレーキ（図示せず）の動作に連動して、脱水軸４４とパルセータ軸４５のどちらがモータ４１に連結するかを切り替える。ブレーキ（図示せず）は脱水軸４４に制動をかけるためのものであって、洗濯水の排水時に排水モータ（図示せず）の動作に連動しブレーキ解除操作がなされる。
【００２２】
脱水軸４４とパルセータ軸４５は、脱水軸４４を外側、パルセータ軸４５を内側とする二重軸構造となっており、水槽２０の中に入り込んだ後、脱水軸４４は脱水槽３０に連結されてこれを支える。パルセータ軸４５はさらに脱水槽３０の中に入り込み、パルセータ３２に連結してこれを支える。脱水軸４４と水槽２０の間、及び脱水軸４４とパルセータ軸４５の間には各々水もれを防ぐためのシール部材が配置される。
【００２３】
脱水槽３０に対し２個のダクトが設けられる。その１は送風機５０が吹き出す空気を上方から脱水槽３０に吹き込む吹き込みダクト５１、その２は洗濯物投入口の蓋が閉じられているときに脱水槽３０内の空気を機外に排出することを可能にする機外排気ダクト５２である。
【００２４】
吹き込みダクト５１の内部には、送風機５０が吹き出す空気を加熱するヒータ５３が設けられる。空気があまり高温になると、洗濯乾燥機１の内部の合成樹脂製部品が溶けるおそれが生じるので、吹き込みダクト５１からの吹き出し温度が９０℃を超えない程度に設定しておくのがよい。ヒータ５３にはＰＴＣ（Positive Temperature Coefficient）ヒータを用いることができる。
【００２５】
送風機５０の空気流入部には吸気フィルタ５４が設けられ、機外排気ダクト５２の入口部には排気フィルタ５５が設けられる。吸気フィルタ５４は異物（主に繊維）が送風機５０に吸い込まれたり、ヒータ５３に付着して焦げたりするのを防ぐためのものである。排気フィルタ５５は、排気によって繊維が室内にまき散らされるのを防ぐためのものである。
【００２６】
送風機５０への空気の供給と、脱水槽３０内の空気の機外への排出は、１個のダクトユニット６０を介して行われる。ダクトユニット６０は、水槽２０の上方に、ここでは水平仕切板１１の上に、水平方向に延びる形で配置される。ダクトユニット６０には吸気ダクト６１と排気ダクト６２が含まれる。吸気ダクト６１は、外箱１０と水槽２０の間の空間と、送風機５０の空気流入部を連通させるものであり、排気ダクト６２は、脱水槽３０内の空間と機外を連通させるものである。
【００２７】
このように、送風機５０への空気の供給と、脱水槽３０内の空気の機外への排出は１個のダクトユニット６０により行われるから、外部で組み立て済みのダクトユニット６０を外箱１０に組み付けるという作業手順を採用することにより、洗濯乾燥機１の組立工程を合理化することができる。
【００２８】
ダクトユニット６０は、水平方向の両端に吸気ダクト６１の入口部６３と出口部６４を有する。入口部６３は外箱１０と水槽２０の間の空間に向かって開口する。出口部６４は、吸気フィルタ５４を間に挟む形で、送風機５０の空気流入部に接続される。
【００２９】
排気ダクト６２の入口部６５は吸気ダクト６１の出口部６４寄りの位置に配置され、脱水槽３０の内部空間に向かって開口する。排気ダクト６２の出口部６６は吸気ダクト６１の入口部６３寄りの位置に配置され、排気フィルタ５５を挟む形で、機外排気ダクト５２に接続される。
【００３０】
吸気ダクト６１と排気ダクト６２の間には熱交換部６７が形成される。熱交換部６７を構成するのは吸気ダクト６１と排気ダクト６２を隔てる熱交換壁６８である。熱交換壁６８は、アルミニウムや銅など、熱伝導の良い金属で形成される。熱交換壁６８にコルゲート加工を施して表面積の増大を図ってもよい。
【００３１】
ダクトユニット６０は水平方向の両端に吸気ダクト６１の入口部６３と出口部６４を有し、その出口部６４寄りの位置に排気ダクト６２の入口部６５が配置され、入口部６３寄りの位置に排気ダクト６２の出口部６６が配置されるから、吸気ダクト６１と排気ダクト６２は長い距離にわたって並走することになる。このため、熱交換部６７の長さを長くし、熱交換効率を高めることができる。
【００３２】
洗濯乾燥機１の制御システムは図２に示す構成となっている。洗濯乾燥機１全体の制御を司る制御部７０はマイクロコンピュータを中核として構成され、様々な構成要素から出力信号を受け取り、また様々な構成要素に対し制御信号を出力する。
【００３３】
制御部７０に信号を出力する構成要素には、外箱１０の天面に設けられた操作部７１、洗濯物投入口の蓋が開いているか閉じているかを検知する蓋開閉センサ７３、脱水槽３０の内部の水位を検知する水位センサ７４、脱水槽３０の内部の温度を検知してその値を制御部７０に出力する温度センサ７５、及び脱水槽３０の内部の湿度を検知してその値を制御部に出力する湿度センサ７６が含まれる。温度センサ７５と湿度センサ７６は、脱水槽３０の内部に存在する必要はなく、脱水槽３０から流出する空気の温度または湿度を測定できる位置に存在していればよい。
【００３４】
制御部７０から制御信号を受けて動作を行う構成要素には、既出のモータ４１、クラッチ４３、ブレーキ（図示せず）、送風機５０、ヒータ５３の他、操作部７１に隣接して設けられる表示部７２と、脱水槽３０に給水を行う給水弁７７が含まれる。さらに、正イオンと負イオンからなるプラズマクラスターイオン（以下「ＰＣＩ」の略称を用いる）を発生するＰＣＩ発生器８０と、ＰＣＩを機外に放出するＰＣＩ放出弁８１が含まれる。
【００３５】
ＰＣＩ発生器８０は吹き込みダクト５１の外側に設けられ、吹き込みダクト５１の中にＰＣＩを放出する。吹き込みダクト５１には、ＰＣＩ発生器８０の下流側に、ＰＣＩを機外に放出するＰＣＩ機外放出ダクト８２が分岐形成されており、吹き込みダクト５１とＰＣＩ機外放出ダクト８２の分岐部に、ＰＣＩ放出弁８１が配置されている。ＰＣＩ放出弁８１は、ソレノイドまたはモータを動力源として動作するものであり、吹き込みダクト５１を開きＰＣＩ機外放出ダクト８２を閉ざす姿勢（図１の実線状態）と、ＰＣＩ機外放出ダクト８２を開き、吹き込みダクト５１も一部開く姿勢（図１の破線状態）のいずれかの姿勢をとる。
【００３６】
洗濯乾燥機１の動作につき説明する。洗濯物投入口の蓋を開け、脱水槽３０に洗濯物と洗剤を投入する。蓋を閉じ、操作部７１の中の操作ボタン群を操作して洗濯条件を選び、スタートボタンを押せば、制御部７０は洗濯工程をスタートさせる。
【００３７】
洗濯工程では、制御部７０は最初給水弁７７を開き、脱水槽３０に給水する。脱水槽３０に所定量の水が溜まったところで制御部７０は給水弁７７を閉じ、クラッチ４３の操作によりパルセータ軸４５をモータ４１に連結し、モータ４１を駆動する。これによりパルセータ３２が回転し、脱水槽３０の中の水を攪拌する。投入されていた洗剤は水に溶け、その水の中で洗濯物が揺り動かされることにより、洗濯が行われる。この時ブレーキ（図示せず）は脱水槽３０に制動をかけ、脱水槽３０が水流で動かされるのを防いでいる。
【００３８】
所定時間経過後モータ４１は停止し、洗濯工程は終了する。この後、すすぎ工程の前の脱水工程に入る。制御部７０はクラッチ４３の操作により脱水軸４４をモータ４１に連結し、ブレーキ（図示せず）による制動を解除した上で、モータ４１を駆動する。これにより脱水槽３０が脱水回転を行う。パルセータ３２も脱水槽３０と共に回転する。
【００３９】
脱水槽３０が高速で回転すると、洗濯物は遠心力で脱水槽３０の周壁に押し付けられ、洗濯物に含まれていた洗濯水も周壁の内面に集まってくるが、前述の通り、脱水槽３０は上方にテーパ状に広がっているので、遠心力を受けた洗濯水は脱水槽３０の内面を上昇する。洗濯水は脱水槽３０の上端、バランサ３１の下まで上昇したところで脱水孔から放出され、水槽２０の内面で受け止められる。水槽２０の内面で受け止められた洗濯水は水槽２０の底部に流れ落ち、図示しない排水ホースを通って外箱１０の外に排水される。
【００４０】
所定の脱水時間が経過した後、制御部７０はモータ４１を停止し、ブレーキ（図示せず）による制動を復活させて脱水槽３０の回転を止める。そしてすすぎ工程に入る。
【００４１】
すすぎ工程で制御部７０は、給水弁７７を開き、脱水槽３０に給水する。脱水槽３０に所定量の水が溜まったところで、制御部７０はクラッチ４３の操作によりパルセータ軸４５をモータ４１に連結し、モータ４１を駆動する。これによりパルセータ３２が回転し、脱水槽３０の中の水が攪拌され、すすぎが行われることになる。
【００４２】
すすぎ方法としては、給水弁７７を閉じておいて行う「ためすすぎ」を選択することもできるし、給水弁７７を開いて水を流し続ける「オーバーフローすすぎ」を選択することもできる。すすぎの途中で脱水を実行し、洗濯物に含まれている洗剤が速やかに抜けるようにしてもよい。
【００４３】
すすぎ工程が終了したら脱水工程を実行し、その後乾燥工程に移る。
【００４４】
乾燥工程では、制御部７０は、送風機５０を駆動し、ヒータ５３に通電する。送風機５０は吸気ダクト６１を通じて外箱１０と水槽２０の間の空間の空気を吸い込み、吹き込みダクト５１に吐出する。吹き込みダクト５１に吐出された空気はヒータ５３で加熱されて温風となり、脱水槽３０に吹き込まれる。温風は脱水槽３０の内部を加熱した後、排気ダクト６２に押し出され、機外排気ダクト５２から機外に排出される。
【００４５】
吸気ダクト６１を通じて送風機５０に吸い込まれる空気と、排気ダクト６２を通じて脱水槽３０から押し出される温度の高い空気は、熱交換部６７で熱交換するので、温度の上昇した空気が送風機５０に吸い込まれることになる。このように脱水槽３０から排出される空気の熱を回収して再利用することにより、効率良く洗濯物を乾燥できる。
【００４６】
温風の吹き込みを続けると、次第に脱水槽３０の内部の温度が上昇する。洗濯物からの水の蒸発は５０℃以上で活発になるため、５０℃以上の温度まで上昇させることを目指す。脱水槽３０の内部の洗濯物に温風が均等に当たるよう、制御部７０は脱水槽３０を脱水時の回転数よりも低い回転数で回転させ、また、パルセータ３２を回転させて洗濯物をほぐしながら上下に入れ替わるように制御する。
【００４７】
脱水槽３０の内部の温度が上昇するにつれ、洗濯物から水分が蒸発し、脱水槽３０から排出される空気は水分を多く含むことになる。脱水槽３０は孔なしタイプであるため、脱水槽３０から外に漏れる空気量が少なく、脱水槽３０と水槽２０の間の空間は空気が対流する空間とはならない。このように、空気が対流する空間がほぼ脱水槽３０の内部に限定されるため、対流が効率良く進められ、温度が速やかに上昇する。
【００４８】
乾燥を続けた結果、湿度センサ７６の検知する湿度の値が所定値まで下がったら、制御部７０は送風機５０とモータ４１の駆動を止め、ヒータ５３への通電を停止する。そして表示部７２に乾燥終了の旨を表示させる。あるいは、表示に加え、それを音声で報知する。
【００４９】
乾燥中、制御部７０に、脱水槽３０を一時的に高速回転させる制御を行わせることができる。これにより、脱水槽３０の内部の対流の風速が上がり、洗濯物からの水分の蒸発と、蒸発した水分の排気ダクト６２を通じての排出を促進することができる。
【００５０】
洗濯開始の前に洗濯条件を選ぶとき、乾燥工程でＰＣＩを発生する設定にしておけば、
乾燥工程に移行後、制御部７０はＰＣＩ発生器８０を動作させ、吹き込みダクト５１の内部にＰＣＩを放出させる。この時ＰＣＩ機外放出弁８１は、吹き込みダクト５１を開き、ＰＣＩ機外放出ダクト８２を閉ざす姿勢（図１の実線状態）をとっており、放出されたＰＣＩは全量脱水槽３０に吹き込まれる。
【００５１】
温風と共に脱水槽３０に吹き込まれたＰＣＩは洗濯物に付着し、除菌作用、防カビ作用、脱臭作用などを発揮する。洗濯物だけでなく、脱水槽３０、排気ダクト６２、排気フィルタ５５、及び機外排気ダクト５２にもＰＣＩの上記作用が及び、これらの構成要素は良好な衛生状態に保たれる。
【００５２】
洗濯乾燥機１が置かれた部屋あるいは空間の除菌、防カビ、脱臭を目的として、洗濯をしないときに洗濯乾燥機１を「ＰＣＩ機外放出モード」で運転することもできる。この時ＰＣＩ放出弁８１は、ＰＣＩ機外放出ダクト８２を開き、吹き込みダクト５１も一部開く姿勢（図１の破線位置）をとる。ＰＣＩ発生器８０と送風機５０の両方を駆動すると、ＰＣＩ発生器８０から放出されたＰＣＩの大部分はＰＣＩ機外放出ダクト８２より機外に放出される。ＰＣＩ機外放出ダクト８２から放出されたＰＣＩは洗濯乾燥機１が置かれた部屋あるいは空間に拡散し、除菌、防カビ、脱臭などの作用を行う。
【００５３】
ＰＣＩ放出弁８１は吹き込みダクト５１を完全に閉ざしている訳ではなく、一部開放状態としているので、送風機５０から吹き出された風の一部とＰＣＩ発生器８０から放出されたＰＣＩの一部は脱水槽３０に入り、排気ダクト６２と機外排気ダクト５２を通じて機外に排出される。従って、このルートからもＰＣＩの放出が行われることになる。
【００５４】
以上、本発明の実施形態につき説明したが、本発明の範囲はこれに限定されるものではなく、発明の主旨を逸脱しない範囲で種々の変更を加えて実施することができる。
【産業上の利用可能性】
【００５５】
本発明は洗濯乾燥機に広く利用可能である。
【符号の説明】
【００５６】
１    洗濯乾燥機
１０  外箱
２０  水槽
３０  脱水槽
３２  パルセータ
４０  駆動ユニット
５０  送風機
５１  吹き込みダクト
５２  機外排気ダクト
５３  ヒータ
６０  ダクトユニット
６１  吸気ダクト
６２  排気ダクト
６３  入口部
６４  出口部
６５  入口部
６６  出口部
６７  熱交換部
６８  熱交換壁
７０  制御部
【図１】
2012040085.tif 000003
【図２】
2012040085.tif 000004